(57)【要約】【課題】地図において、地物と地物の詳細情報とを対応づけて見易くする。【解決手段】上の頁が、下の頁より小さい複数の頁を開閉自在に重ね合わせ、側端をとじた地図１０００を構成する。各頁は、とじた状態で図中の破線で示すよう下の頁に重なる。上の頁は、下の頁を完全に覆い隠すわけではないため、地図１０００は、とじた状態で合成地図を形成している。頁Ｐ２において、頁Ｐ１に隠される不可視領域Ｐ２ｂには、頁Ｐ１に隠されない可視領域Ｐ２ａに記載された地物に対応する詳細情報が記載されている。他の頁も同様の構成である。このような構成を取ることにより、頁をとじた状態では、余分な情報が現れないため、地物の位置を容易に把握でき、頁をめくると、地物の詳細情報を、容易に確認することができる。【選択図】　図３
2004094153.tif 000002
【特許請求の範囲】
【請求項１】
複数の頁を開閉自在に重ね合わせた重ね合わせ地図であって、
各頁は、上の頁と下の頁は閉じた状態で、該下の頁の記載内容の一部が見えるよう構成されており、
上の頁の上面の記載内容と、該上の頁を閉じた状態で見える下の頁の部位の記載内容とを合わせて一つの合成地図を形成し、
下の頁において、前記上の頁を閉じた状態では、前記上の頁によって隠され、開いた状態では見える部位に、該上の頁の上面の記載内容と少なくとも一部が相違し、前記合成地図の記載内容に関連した関連情報が記載されている重ね合わせ地図。
【請求項２】
請求項１記載の重ね合わせ地図であって、
前記下の頁と、前記上の頁とは、一部ずれて重ね合わさることにより、該下の頁の記載内容の一部が見えるように構成されている重ね合わせ地図。
【請求項３】
請求項１記載の重ね合わせ地図であって、
前記上の頁は、前記下の頁より、面積が小さい重ね合わせ地図。
【請求項４】
請求項１記載の重ね合わせ地図であって、
前記上の頁は、前記下の頁と重なる部分の一部が透明である重ね合わせ地図。
【請求項５】
前記複数の頁を綴じた冊子として構成された請求項１〜請求項４いずれか記載の重ね合わせ地図。
【請求項６】
前記複数の頁を、互いに重ね合わせた状態で収容する容器を備える請求項１〜請求項４いずれか記載の重ね合わせ地図。
【請求項７】
請求項１〜請求項４いずれか記載の重ね合わせ地図であって、
前記関連情報とは、前記上の頁に記載されている地物に関する詳細情報である重ね合わせ地図。
【請求項８】
請求項１〜請求項４いずれか記載の重ね合わせ地図であって、
前記関連情報とは、前記上の頁によって隠されない部分に記載された地物に関する情報である重ね合わせ地図。
【請求項９】
複数の頁を、下の頁の記載内容の一部が見えるように開閉自在に重ね合わせた重ね合わせ地図の各頁の印刷データを生成する地図作成装置であって、
前記重ね合わせ地図の地図データを参照するデータ参照部と、
全頁を重ね合わせた状態で、各頁の記載内容を合わせて形成される合成地図として出力すべき地図上の領域の指定を受け付ける領域指定部と、
前記領域内で、各頁に印刷される領域が一部相違するよう、各頁の印刷内容を設定する設定部と、
前記設定に基づき、各頁を印刷するための印刷データを生成する印刷データ生成部とを備える地図作成装置。
【請求項１０】
請求項９記載の地図作成装置であって、
前記領域指定部は、出発地および目的地を指定することにより、前記領域を指定可能な地図作成装置。
【請求項１１】
複数の頁を、下の頁の記載内容の一部が見えるように開閉自在に重ね合わせた重ね合わせ地図の各頁の印刷データを生成する地図作成方法であって、
前記重ね合わせ地図の地図データを参照する工程と、
全頁を重ね合わせた状態で、各頁の記載内容を合わせて形成される合成地図として出力すべき地図上の領域の指定を受け付ける工程と、
前記領域内で、各頁に印刷される領域が一部相違するよう、各頁の印刷内容を設定する工程と、
前記設定に基づき、各頁を印刷するための印刷データを生成する工程とを備える地図作成方法。
【請求項１２】
複数の頁を、下の頁の記載内容の一部が見えるように開閉自在に重ね合わせた重ね合わせ地図の各頁の印刷データをコンピュータに作成させるためのコンピュータプログラムであって、
前記重ね合わせ地図の地図データを参照する機能と、
全頁を重ね合わせた状態で、各頁の記載内容を合わせて形成される合成地図として出力すべき地図上の領域の指定を受け付ける機能と、
前記領域内で、各頁に印刷される領域が一部相違するよう、各頁の印刷内容を設定する機能と、
前記設定に基づき、各頁を印刷するための印刷データを生成する機能とをコンピュータに実現させるためのコンピュータプログラム。
【請求項１３】
請求項１２記載のコンピュータプログラムをコンピュータ読み取り可能に記録した記録媒体。
【発明の詳細な説明】
【０００１】
【発明の属する技術分野】
本発明は、複数の頁を開閉自在に重ね合わせて構成される重ね合わせ地図に関する。
【０００２】
【従来の技術】
従来、旅行のガイドブックや、遊園地の案内図のリーフレットなど、地物の詳細情報と、地物の場所が記載された地図とをまとめた書籍が多く利用されている。
【０００３】
ガイドブックなどの冊子は、地物の詳細情報が、カテゴリー別、地域別などでまとめて記載されており、地物の場所を表す地図は、冊子の末尾などにまとめて記載されている。そのため、多くの情報が、見やすい状態で保持されている。また、リーフレットは、地物の詳細情報を地図と対応づけて記載しており、一目で見渡せるため、全体を把握しやすいという利点がある。
【０００４】
【発明が解決しようとする課題】
しかしながら、ガイドブックは、地図と、地物の詳細情報が別々に記載されているため、関連のある頁を検索することが非常に煩雑であった。リーフレットでは、地図の記載内容を過度に隠さないよう詳細情報を記載する必要があるため、記載できる情報量が少ないという問題点があった。また、多くの情報が一つの頁にまとめて記載されると、情報が混在し見づらくなるという問題点もあった。
【０００５】
上述の課題は、ガイドブックやリーフレットに限らず、地図と、地物の詳細情報をまとめた案内図や冊子などに共通の課題であった。本発明は、上述の課題に鑑みてなされたものであり、地図と地物の詳細情報をそれぞれ充分に記載しつつ、関連する情報を簡易に参照可能とし、地図の利便性を向上することを目的とする。
【０００６】
【課題を解決するための手段およびその作用・効果】
上記課題の少なくとも一部を解決するため、本発明は第１の構成として、
複数の頁を開閉自在に重ね合わせた重ね合わせ地図であって、
各頁は、上の頁と下の頁は閉じた状態で、該下の頁の記載内容の一部が見えるよう構成されており、
上の頁の上面の記載内容と、該上の頁を閉じた状態で見える下の頁の部位（以下、「可視領域」と呼ぶ）の記載内容とを合わせて一つの合成地図を形成し、
下の頁において、前記上の頁を閉じた状態では、前記上の頁によって隠され、開いた状態では見える部位（以下、「不可視領域」と呼ぶ）に、該上の頁の上面の記載内容と少なくとも一部が相違し、前記合成地図の記載内容に関連した関連情報が記載されていることを要旨とする。
【０００７】
関連情報とは、合成地図に記載されているいずれかの地物の詳細情報とすることができ、例えば、地物の名称、住所、電話番号などとすることができる。また、例えば、地物が店舗である場合には、営業時間、業種、名物などを記載したり、駅である場合には、時刻表や乗り継ぎ情報などを記載したりすることも可能である。
【０００８】
下の頁の不可視領域には、上の頁の地図の一部と関連情報を併せて記載しても良い。こうすれば、上の頁をめくった場合にも、地図全体を把握することができるため好適である。不可視領域に、地図を記載せず関連情報のみを記載してもよい。
【０００９】
このような構成をとることにより、地図全体を把握するとともに、記載されている地物の関連情報を、容易に閲覧することができる。また、地図を携帯しやすいサイズで作成することができるため、利便性の向上を図ることができる。
【００１０】
本発明の開閉自在な重ね合わせ地図において、
前記下の頁と、前記上の頁とは、一部ずれて重ね合わせることにより、該下の頁の記載内容の一部が見えるように構成されていることとしてもよい。こうすることにより、各頁に記載できる情報量がほぼ同一となるため、各頁における情報量の偏りを抑制することができ、利便性を向上することが可能となる。
【００１１】
本発明の開閉自在な重ね合わせ地図において、前記上の頁は、前記下の頁より、面積が小さいこととしてもよい。こうすることにより、頁数を増やす場合にも、地図が大きくならないため、携帯性を確保しつつ、多くの情報を掲載することが可能となる。
【００１２】
本発明の開閉自在な重ね合わせ地図において、前記上の頁は、前記下の頁と重なる部分の一部が透明であることとしてもよい。
【００１３】
各頁は、例えば、塩化ビニルなどの透明シートの一部に地図を記載することで作成できる。複数枚重ね合わせた状態では、地図の記載されていない透明な部分から、下の頁の地図の一部が見える。また、各頁を、透明のシートに貼り付ける、最上部の頁にだけ透明シートを使用する、最上部の頁の上に透明シートを備える、各頁をビニル加工する、など種々の構成を取ることが可能である。
【００１４】
こうすることにより、防水性、耐性の向上、劣化の抑制などを図ることができ、地図を携帯する場合にも、利便性を向上することが可能となる。
【００１５】
本発明の開閉自在な重ね合わせ地図において、前記複数の頁を綴じた冊子として構成されている地図としてもよい。綴じる部位は、例えば、各頁とも同じ辺、各頁の中心附近などが挙げられる。こうすることにより、頁をめくりやすくなるため、利便性が向上する。
【００１６】
本発明の開閉自在な重ね合わせ地図において、更に、前記複数の頁を、互いに重ね合わせた状態で収容する容器を備えることとしてもよい。容器を透明な材質とすれば、収納した状態でも、地図を確認できるため、好適である。こうすることにより、用紙の劣化を抑制するとともに、携帯しやすくなるため、利便性が向上する。
【００１７】
本発明の開閉自在な重ね合わせ地図において、関連情報とは、上の頁に記載されている地物に関する詳細情報であることとしてもよい。つまり、上の頁をめくると、上の頁に記載されていた地物の関連情報が現れるという構成である。
この場合、上の頁の地物の位置と、下の頁の関連情報の位置とをほぼ同位置とすれば両者の対応が容易にとれるため、好適である。
【００１８】
こうすることにより、上の頁に、詳細情報を記載する領域が充分ない場合にも、下の頁に記載することができるようになるため、利便性が向上する。
【００１９】
本発明の開閉自在な重ね合わせ地図において、関連情報とは、上の頁によって隠されない部分に記載された地物に関する情報であることとしてもよい。つまり、上の頁をめくると、下の頁の可視領域に記載されている地物の関連情報が現れるという構成である。こうすることにより、頁をめくった状態で、地物と関連情報が同一頁に記載されるため、見やすくなり、利便性を向上することが可能となる。
【００２０】
本発明の第２の構成として、
複数の頁を、下の頁の記載内容の一部が見えるように開閉自在に重ね合わせた重ね合わせ地図の各頁の印刷データを生成する地図作成装置であって、
前記重ね合わせ地図の地図データを参照するデータ参照部と、
全頁を重ね合わせた状態で、各頁の記載内容を合わせて形成される合成地図として出力すべき地図上の領域の指定を受け付ける領域指定部と、
前記領域内で、各頁に印刷される領域が一部相違するよう、各頁の印刷内容を設定する設定部と、
前記設定に基づき、各頁を印刷するための印刷データを生成する印刷データ生成部とを備えることを要旨とする。
【００２１】
データ参照部は、例えば、ＣＤ−ＲＯＭなどの外部記憶媒体からデータを参照することとしてもよいし、地図作成装置の内部に地図データを格納し、参照することとしても良い。また、更には、遠隔地に蓄積されているデータを、インターネットその他のネットワークを介して参照することとしてもよい。
【００２２】
設定部は、頁数や頁の形状情報、地物の関連情報などを設定する機能を奏する。頁数や頁の形状情報は、例えば、予め決められた設定値を用いることとしても良いし、ユーザが自由に選択・入力可能としても良い。また、地物の関連情報は、例えば、指定された領域内に、ユーザが任意に入力したり、インターネットを介して取得した情報を添付したりできることとすれば、柔軟に設定することができ好適である。
【００２３】
データ生成部は、他の機能ブロックによって処理された内容に基づいて、各頁を印刷するためのデータを生成する機能を奏する。印刷データは、例えば、ビットマップ形式で作成されることとしても良いし、その他の画像フォーマットで作成されることとしても良い。また、頁毎に別々のファイルで作成されていてもよいし、一つのファイルにまとめて作成されてもよい。
【００２４】
本発明の第２の構成によれば、ユーザが所望する重ね合わせ地図データを、容易に、かつ、柔軟に作成することができ、利便性の向上を図ることができる。ユーザは、印刷媒体を、例えば、用紙、透明シート等と選択し、選択されたデータを印刷することで、容易に種々の態様の地図を作成することができる。
【００２５】
本発明の地図作成装置において、前記領域指定部は、出発地および目的地を指定することにより、前記領域を指定可能としてもよい。こうすることにより、容易に領域指定を行うことができ、利便性の向上を図ることが可能となる。
【００２６】
本発明は、上述の地図作成装置としての構成の他、地図作成方法の発明として構成することもできる。また、これらを実現するコンピュータプログラム、および、そのプログラムを記録した記録媒体、そのプログラムを含み、搬送波内に具現化されたデータ信号など種々の態様で実現することが可能である。なお、それぞれの態様に関して、先に示した種々の付加的要素を適用することが可能である。
【００２７】
本発明をコンピュータプログラムまたはそのプログラムを記録した記録媒体等として構成する場合には、地図作成装置を駆動するプログラムを全体として構成するものとしても良いし、本発明の機能を果たす部分のみを構成するものとしても良い。また、記録媒体としては、フレキシブルディスクや、ＣＤ−ＲＯＭ、ＤＶＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭ等のメモリ）および外部記憶装置などコンピュータが読み取り可能な種々の媒体を利用できる。
【００２８】
【発明の実施の形態】
以下、本発明の実施の形態について、以下の項目に分けて説明する。
Ａ．第１実施例：
Ａ１．重ね合わせ地図概略構成：
Ａ２．重ね合わせ地図記載内容：
Ａ３．地物情報：
Ｂ．第２実施例：
Ｂ１．システム概要：
Ｂ２．領域指定画面：
Ｂ３．詳細情報設定画面：
Ｂ３．印刷データ生成処理：
Ｃ．変形例：
【００２９】
Ａ．第１実施例：
Ａ１．重ね合わせ地図概略構成：
図１は、第１実施例としての、地図１０００の概略構成を表す説明図である。地図１０００は、図示する通り、頁Ｐ１〜Ｐ５を左側側方でとじた冊子として構成されている。上の頁は、下の頁よりもサイズが小さくなっており、重ね合わせた状態で、下の頁の一部分が見えるように構成されている。例えば、頁Ｐ１は頁Ｐ２よりも小さくなっており、破線１０１０に示す位置に重なるよう構成されている。
【００３０】
頁Ｐ２は、頁Ｐ１を重ね合わせても隠れない可視領域Ｐ２ａと、頁Ｐ１に隠される不可視領域Ｐ２ｂに分けられる。頁Ｐ３〜頁Ｐ５も同様に、可視領域Ｐ３ａ〜Ｐ５ａと、不可視領域Ｐ３ｂ〜Ｐ５ｂとから構成される。
【００３１】
Ａ２．重ね合わせ地図記載内容：
図２は、地図１０００のとじた状態を例示する平面図である。地図１０００の各頁には、図示するとおり、とじた状態で、頁Ｐ１および可視領域Ｐ２ａ〜Ｐ５ａが一つの地図を構成するよう、地物、道路などが記載されている。以下、とじた状態で表される地図を、複数の頁の記載内容を合成して形成されているという意味で「合成地図」と称する。
【００３２】
頁Ｐ１は、図示するように、地物１０の詳細情報１１が、地物１０と同一頁に記載されている。詳細情報１１の内容については後述する。可視領域Ｐ２ａに記載されている地物１０ａの詳細情報は、頁Ｐ１に隠されている領域、つまり、頁Ｐ２の不可視領域に記載されており、引き出し線１１００ａによって関連づけられている。頁Ｐ３〜Ｐ５も同様に、各頁の不可視領域には、可視領域に記載された地物の詳細情報が記載されている。
【００３３】
Ａ３．地物情報：
図３は、地図１０００の頁Ｐ１をめくった状態を例示する説明図である。頁Ｐ２上の破線１０１０は、説明の便宜上、可視領域Ｐ２ａと、不可視領域Ｐ２ｂとの境界を示している。可視領域Ｐ２ａには、地物１０ａ、１０ｂが、道路１２００をはさんで記載されており、不可視領域Ｐ２ｂには、地物１０ａ、１０ｂの詳細情報１１ａ、１１ｂが記載されている。詳細情報１１ａは、地物１０ａと、引き出し線１１００ａにより関連づけられており、同様に、詳細情報１１ｂは、地物１０ｂと、引き出し線１１００ｂにより関連づけられて記載されている。
【００３４】
詳細情報１１ａには、地物１０ａに関連する情報が記載されている。本実施例では、地物１０ａを、「○○商店」という名称の店舗とし、地物１０ｂを「ａｂｃ前」という名称のバス停留所とすることとした。詳細情報１１ａには、名称、電話番号および取扱商品を掲載することとし、詳細情報１１ｂには、名称、時刻表を掲載することとした。
【００３５】
以上説明した本発明の第１実施例によれば、頁を重ね合わせた状態で、地図全体を確認でき、また、地図に記載されている地物と、地物の詳細情報が同一頁に記載されているため、両者の対応関係を容易に把握することができる。また、頁をめくることにより、地物の詳細情報を容易に確認することができるため、地図としての価値を損なうことなく、充分な量の詳細情報を記載できる。
【００３６】
Ｂ．第２実施例：
Ｂ１．システム概要：
第１実施例では、複数の頁を開閉自在に重ね合わせた状態で、一つの合成地図を形成し、頁をめくることで、地図に記載された地物の詳細情報を確認できる重ね合わせ地図に関して例示して説明した。第２実施例では、第１実施例の地図を作成するための、地図作成装置について例示して説明する。地図は任意の領域を指定して作成することが可能であるが、本実施例では、より利便性の高い例として、ユーザが指定した出発地、目的地間の経路を案内するための重ね合わせ地図を作成する場合を例示する。
【００３７】
図４は、第２実施例における地図印刷システムＰＳのシステム概要を例示する説明図である。地図印刷システムＰＳは、クライアントコンピュータ２０００と、クライアントコンピュータ２０００にローカルに接続されたプリンタＰＴとから構成される。クライアントコンピュータ２０００は、地図データを作成する地図作成システムとして構成されているため、以降、クライアントコンピュータ２０００を地図作成システム２０００と呼ぶこととする。地図作成システム２０００は、外部から地図データを参照する際、コンパクトディスクＣＤ内に格納されているデータを参照することとしても良いし、地図作成システム２０００が、ネットワークに接続されており、インターネットＩＮＴを介して、サーバＳＶ内に格納されている地図データを参照することとしてもよい。地図作成システム２０００内に、予め、格納されていることとしてもよい。本実施例では、コンパクトディスクＣＤから地図データを参照することとした。
【００３８】
また、図４に、併せて地図作成システム２０００の機能ブロックを示した。地図作成システム２０００には、図示する種々の機能ブロックがソフトウェア的に構成されている。これらの機能ブロックは、ハードウェア的に構成することも可能である。
【００３９】
地図作成システム２０００は、主制御部１００と、地図データ参照部１０１と、表示部１０２と、印刷処理部１０３と、指示入力部１０４と、データ生成部１０５とから構成される。主制御部１００は、地図作成システム２０００の各機能ブロックの動作制御を行う。この制御には、外部記憶装置との情報取得の制御、地図データの生成、接続されているプリンタの動作状況の取得などが含まれる。
【００４０】
地図データ参照部１０１は、コンパクトディスクＣＤにアクセスし、地図データを参照し、主制御部１００を介して、他の機能ブロックに受け渡す。表示部１０２は、いわゆるディスプレイドライバとしての機能を奏しており、主制御部１００を介して受け取った種々のデータを、地図作成システム２０００のディスプレイに表示する。
【００４１】
指示入力部１０４は、ユーザからの種々の指示を他の機能ブロックへ受け渡す制御を行う。本実施例では、ユーザからの指示とは、地図１０００として出力する出力領域を決定するための出発地および目的地の位置情報、地図の頁数、頁形状、出力領域内に存在する地物の詳細情報などの設定情報を示し、主制御部を介して、データ生成部１０５へ、適宜、受け渡すこととする。
【００４２】
データ生成部１０５は、指示入力部１０４を介して入力された出発地および目的地を含むように出力領域を決定する。出発地、目的地を含むという条件のみで出力領域を決定しても良いし、経路探索を行い、得られた経路を全て包含するように出力領域を決定しても良い。データ生成部１０５は、出力領域を切り出し、頁数、頁形状、地物の詳細情報など種々の情報を、ユーザの入力に基づき設定する。本実施例では、印刷すべき地図データは、ビットマップ形式で生成され、頁毎に別々のファイルとして保存されることとした。
【００４３】
印刷処理部１０３は、データ生成部１０５から印刷すべき地図データを受け取ると、プリンタＰＴへ地図データを送出する。プリンタＰＴから出力された各頁を、重ね合わせることにより、地図１０００を作成することができる。
【００４４】
以上説明したシステム構成により、本実施例の地図作成システム２０００は、外部から参照した地図データを用いて、とじた状態で、上の頁が、下の頁よりも小さく、重ね合わせた状態で、下の頁の、上の頁に隠される部分には、上の頁に隠されない部分に記載されている地物の詳細情報を記載することができ、多くの情報を掲載する場合にも、サイズが大きくならない地図の作成を実現している。以下では、地図作成システム２０００が、出力領域を指定し、地物の詳細情報を設定して、印刷すべき地図データを生成する場合の画面遷移および処理内容を説明する。
【００４５】
Ｂ２．出力領域指定処理：
図５（ａ）は、第２実施例における出力領域指定処理における、出発地２００および目的地２０１を入力する画面例である。地図作成システム２０００は、コンパクトディスクＣＤの地図データを参照し、地図ウィンドウＷＤを起動する。
【００４６】
地図ウィンドウＷＤは、地図データＭＡＰ１と、キャンセルボタン２１０と、ＯＫボタン２１１とから構成されている。ユーザは、マウスのクリックにより、出発地２００および目的地２０１を選択入力し、地図作成システム２０００は、ユーザからの入力を受け付けて、出発地２００および目的地２０１に印を付ける。
【００４７】
ユーザによって、ＯＫボタン２１１が押下されると、図５（ｂ）に示すように、地図作成システム２０００は、出発地２００および目的地２０１を含む出力領域２０２を指定する。
【００４８】
出力領域２０２の指定後、ユーザは、頁数や頁の形状を設定する。頁数や頁の形状の設定値の入力方法としては、画面上に複数候補から選択可能なコントロールを表示し選択させる、ユーザが任意に入力可能とする、予め設定されている設定値を入力するなど、種々の態様を取ることが可能である。ＯＫボタン２１１が押下されると、地図作成システム２０００は、各頁の別々のビットマップファイルを生成し、地物の詳細情報を設定するための画面に遷移する。
【００４９】
Ｂ３．詳細情報設定画面：
図６は、地物の詳細情報を設定するための設定ウィンドウ２４０の画面例である。頁数、頁の形状を設定後に表示される画面である。本実施例では、図に示すように、出力領域２０２を、矩形の形状で、頁Ｐ１〜Ｐ５の５頁に分割することとした。設定ウィンドウ２４０の左側には、頁Ｐ１〜Ｐ５の各頁が縮小表示されている。ここで、詳細情報を設定すべき頁を選択すると、その頁の内容が設定ウィンドウ２４０に表示される。本実施例では、頁Ｐ２（図中のハッチングされた頁）が、地図データＭＡＰ２として表示されている状態を例示した。
【００５０】
地図データＭＡＰ２には、不可視領域Ｐ２ｂと、可視領域Ｐ２ａの境界２５０が表示される。可視領域Ｐ２ａに記載されている地物１０ａの詳細情報１１ａは、図中の矢印に示すように、不可視領域Ｐ２ｂにのみ貼り付け可能である。地物１０ｂの詳細情報１１ｂに関しても同様に、不可視領域Ｐ２ｂに貼り付け可能である。次に、適宜、引き出し線により、地物と詳細情報を関連づけることができる。詳細情報の入力・貼り付けは、不可視領域に対してのみ可能であるが、引き出し線については、可視領域も含めて記載可能である。尚、不可視領域については、更に、地図の一部消去、着色の変更などの編集を許容してもよい。
【００５１】
Ｂ４．印刷用地図データ生成処理：
図７は、本実施例における、印刷用地図データ生成処理のフローチャートである。主制御部１００が、各機能ブロックを制御して行う処理である。
【００５２】
地図データ参照部１０１は、コンパクトディスクＣＤを参照し地図データを取得する（ステップＳ１０）。取得した地図データは、表示部１０２を介して、ディスプレイに表示される。次に、主制御部１００は、ユーザからの、出発地および目的地の指定を、指示入力部１０４を介して受けつけ、データ生成部１０５に入力する（ステップＳ１１）。データ生成部１０５は、入力された出発地および目的地が含まれるように、地図として出力すべき出力領域を指定する（ステップＳ１２）。
【００５３】
データ生成部１０５は、ユーザから入力された頁数、頁の形状などの設定情報に基づいて、地図の構成を設定する（ステップＳ１３）。頁の形状は、例えば、図示するように、矩形、くさび形などが考えられる。表示部１０２を介して、各頁に記載されている地物の詳細情報を設定するための設定画面を表示する（ステップＳ１４）。そして、データ生成部１０５は、ユーザの入力に基づいて設定された詳細情報と、地図データとを併せて印刷用地図データを生成し（ステップＳ１５）、主制御部１００は、生成された印刷用地図データを、印刷処理部１０３へ受け渡し、印刷処理部１０３は、プリンタＰＴへ送出して印刷を行う（ステップＳ１６）ことにより、地図の各頁が出力される。
【００５４】
以上説明した本実施例の地図作成システム２０００によれば、任意の領域を切り出して印刷用地図データを作成する場合に、地図の形状や頁数、地図に記載されている地物の詳細情報を、ユーザの所望するように柔軟に設定することができ、利便性の向上を図ることが可能となる。
【００５５】
Ｃ．変形例：
Ｃ１．変形例１：
本発明の第１実施例において、地図１０００は、各頁の形状が全て矩形であることとしたが、これに限られない。各頁の形状が同一でも良いし、全く異なるものとしてもよい。可視領域に地物が記載され、不可視領域に地物の詳細情報が記載されるように構成されていればよい。
【００５６】
Ｃ２．変形例２：
本発明の第１実施例および第２実施例において、地物の詳細情報は、対応する地物と同一の頁に記載されていることとしたが、これに限られない。上の頁に記載されている地物の詳細情報を、下の頁の不可視領域に記載することとしても良い。
【００５７】
Ｃ３．変形例３：
本発明の第１実施例および第２実施例において、地物の詳細情報には、地物の名称、電話番号、時刻表などを記載したが、これに限らず、様々な態様を取ることが可能である。例えば、各頁の詳細情報に、出発地からの所要時間を記載することとすれば、経路探索に使用することができる。また、例えば、地物がデパートなどのように階層構成となっている場合には、フロアー図を記載することとしてもよい。
【００５８】
Ｃ４．変形例４：
本発明の第２実施例において、図５に示すように、出発地２００と目的地２０１とを入力し、これらが含まれるように出力領域２０２を指定することとしたが、これに限られない。ユーザが、マウスなどの入力装置を用いて、任意に領域を指定することとしても良い。
【００５９】
Ｃ５．変形例５：
図８は、変形例としての本発明の地図３０００を示している。地図３０００は、頁Ｐ１０〜Ｐ１４からなり、頁Ｐ１４を除いた各頁は、のりしろＰ１０ａ〜Ｐ１３ａ（図中に示すハッチング部分）を備えている。また、頁Ｐ１４は、のりしろＰ１０ａ〜Ｐ１３ａを貼り付けるための領域（のりしろ領域）を備えている。頁Ｐ１０〜Ｐ１３は、のりしろＰ１０ａ〜Ｐ１３ａを、頁Ｐ１４ののりしろ領域に貼り付けることで、冊子状となるように構成されている。
【００６０】
頁Ｐ１０〜頁Ｐ１３におけるのりしろを除いた領域、および、頁Ｐ１４ののりしろ領域を除いた領域のサイズは、ほぼ同一であり、頁Ｐ１１〜Ｐ１４は、各頁の前の頁ののりしろＰ１０ａ〜Ｐ１３ａの分だけ、上の頁とずれている。各頁の、上の頁に隠されない可視領域には、地物情報が記載され、上の頁に隠される不可視領域には、地物情報が記載されている。このような構成をとることにより、各頁に記載できる情報量に偏りを抑制することが可能となる。
【００６１】
Ｃ６．変形例６：
図９は、変形例としての本発明の地図４０００を示している。地図４０００は、本発明における第１実施例の地図１０００の各頁を、ほぼ同一サイズの透明シートで構成した例である。地図４０００の最上頁である頁Ｐ２０は、地図が記載されている不透明な地図領域Ｐ２０ａ、および透明領域Ｐ２０ｂとからなる。とじた状態では、透明領域Ｐ２０ｂを透して、他の頁に記載されている情報を見ることができる。各頁の不透明な部分に、ハッチングを付して示した。地図４０００は、透明シートに直接、地図を印刷することとしてもよいし、地図領域以外の部分に透明シートを接着することとしてもよい。また、最上頁にのみ、透明シートを加工することとしても良い。こうすることにより、地図の劣化を抑制することができる。
【００６２】
Ｃ７．変形例７：
図１０は、本発明の第１実施例における地図１０００の変形例を例示する説明図である。第１実施例では、頁Ｐ１をめくった裏には何も記載されていないこととしたが、図示するように、詳細情報１１ａの更に詳しい説明を記載する説明部３００が記載されていることとしてもよい。こうすることにより、空白領域を有効に活用することができ、多くの情報を記載することが可能となる。
【００６３】
Ｃ８．変形例８：
図１１は、変形例としての地図５０００を例示する説明図である。地図５０００は、複数の頁Ｐ４００ａ〜Ｐ４００ｃと、透明ケース５００から構成されている。頁４００ａは、側方の上下に凸部４０１ａを備えており、図示するように凸部４０１ａは、透明ケース５００に収納する場合に、頁４００ａが、ケース内に入り込んでしまうことを防止する機能を奏する。他の頁に関しても同様の構成である。
【００６４】
このような構成をとることにより、サイズの異なる複数の頁を重ね合わせてケースに収納する場合にも、各頁がずれた状態で収容される。全ての頁を透明ケースに収納した場合には、一つの合成地図を形成し、詳細情報を確認したい場合には、確認したい頁から上の頁を取り出すことにより、簡易に確認することができる。
【００６５】
Ｃ９．変形例９：
図１２は、変形例としての地図６０００を例示する説明図である。地図６０００は、頁Ｐ２０〜Ｐ２６を、開閉自在に重ね合わせた地図である。頁Ｐ２３の手前側の頁と、頁Ｐ２０〜Ｐ２２を重ね合わせて、合成地図を形成しており（以降、「表側の地図」と呼ぶ）、また、Ｐ２３の奥側の頁と、頁Ｐ２４〜Ｐ２６を重ね合わせて、合成地図を形成している（以降、「裏側の地図」と呼ぶ）。表側の地図において、閉じた状態で、頁Ｐ２０を上、頁Ｐ２３を下とすると、上の頁は、下の頁より小さくなっており、下の頁の、上の頁に隠される不可視部分には、詳細情報が記載されている。裏側の地図に関しても同様に、閉じた状態で、頁Ｐ２６を上、頁２３を下とすると、上の頁は下の頁より小さくなっており、下の頁の、上の頁に隠される不可視部分には、詳細情報が記載されている。すなわち、頁Ｐ２３は、両面に地図および詳細情報が記載されている。このような構成を取ることにより、地図６０００は、両側から地図および詳細情報を見ることができ、利便性が向上する。
【００６６】
表側の地図と裏側の地図には、別々の地図を掲載することとすれば、更に多くの情報を記載することが可能となる。また、表側の地図と、裏側の地図には同じ地図を掲載し、不可視部分に記載する詳細情報を異なるものとすれば、多くの詳細情報を掲載できる。表側の地図には、裏側の地図の領域を含む広域地図を記載するなどとしてもよい。
【００６７】
Ｃ１０．変形例１０：
図１３は、変形例としての地図７０００を例示する説明図である。地図７０００は、頁Ｐ３０〜Ｐ３６を、開閉自在に重ね合わせた地図である。頁Ｐ３０側を、地図７０００の開閉時の上側とした場合、頁Ｐ３１〜Ｐ３３は、上の頁が、下の頁より小さくなっており、閉じた状態で、下の頁の、上の頁に隠される部分には、詳細情報が記載されている。Ｐ３４〜Ｐ３６に関しても同様である。そして、閉じた状態で、頁Ｐ３１〜Ｐ３３、及び、頁Ｐ３４〜Ｐ３６は、合成地図を形成しており、それぞれ異なる地図が記載されている。同一の地図を記載し、詳細情報を異なるものにすることとしてもよい。すなわち、地図７０００は、複数の合成地図を、冊子状にまとめた構成である。このような構成を取ることにより、複数のパターンの地図および詳細情報を確認することができ、また、携帯性も向上するため、利便性の向上を図ることができる。本変形例では、表紙として頁Ｐ３０を設けたが、設けなくても構わない。
【００６８】
以上本発明の実施の形態について、実施例に基づき説明した。しかし本発明は、上述の実施例に限定されることなく、その趣旨を逸脱しない範囲において、種々の構成をとることができることは、いうまでもない。
【図面の簡単な説明】
【図１】第１実施例における重ね合わせ地図の説明図である。
【図２】第１実施例における重ね合わせ地図の平面図である。
【図３】第１実施例における重ね合わせ地図の頁をめくった平面図である。
【図４】第２実施例における地図作成装置のシステム概要および内部構成である。
【図５】第２実施例における領域指定処理を説明する画面例である。
【図６】第２実施例における詳細情報設定処理を説明する画面例である。
【図７】第２実施例における印刷用地図データ生成処理のフローチャートである。
【図８】変形例としての重ね合わせ地図の態様である。
【図９】変形例としての重ね合わせ地図の態様である。
【図１０】変形例としての重ね合わせ地図の態様である。
【図１１】変形例としての重ね合わせ地図の態様である。
【図１２】変形例としての重ね合わせ地図の態様である。
【図１３】変形例としての重ね合わせ地図の態様である。
【符号の説明】
１０００、３０００、４０００、５０００、６０００、７０００…地図
１０１０…破線
１０、１０ａ、１０ｂ…地物
１１００ａ…引き出し線
１２００…道路
１１、１１ａ、１１ｂ…詳細情報
１１００ｂ…線
２０００…地図作成システム
１００…主制御部
１０１…地図データ参照部
１０２…表示部
１０３…印刷処理部
１０４…指示入力部
１０５…データ生成部
２００…出発地
２０１…目的地
２０２…出力領域
２１０…キャンセルボタン
２１１…ＯＫボタン
２４０…設定ウィンドウ
５００…透明ケース
４００ａ、４００ｂ、４００ｃ…頁
４０１ａ…凸部
【図１】
2004094153.tif 000003
【図２】
2004094153.tif 000004
【図３】
2004094153.tif 000005
【図４】
2004094153.tif 000006
【図５】
2004094153.tif 000007
【図６】
2004094153.tif 000008
【図７】
2004094153.tif 000009
【図８】
2004094153.tif 000010
【図９】
2004094153.tif 000011
【図１０】
2004094153.tif 000012
【図１１】
2004094153.tif 000013
【図１２】
2004094153.tif 000014
【図１３】
2004094153.tif 000015